(57)【要約】  【課題】  ビスを使うことなく、かつ、タクトスイッチとボタンとの距離調整を容易にしたボタンユニットを提供する。  【解決手段】  ボタンユニット４１は、開口を有するハウジング１１と、この開口を通じて押圧されるボタン２２、および、このボタン２２の一端と連結したボタンフレーム２３から構成されるボタン部２１と、ボタン２２の他端との接触によって、押動するタクトスイッチ３２を備えた回路基板３１と、を含むようになっている。そして、回路基板３１は、ボタン部２１に取り付けられるとともに、そのボタン部２１は、ハウジング１１に取り付けられるようになっている。【選択図】      図１
2006302619.tif 000002
【特許請求の範囲】
【請求項１】
開口を有するとともに、ボスも有したハウジングと、
上記開口を通じて押圧されるボタン片およびこのボタン片の一端に連結したボタンフレ
ームから構成されるボタン部と、
上記ボタン片の他端との接触によって押動するスイッチを備え、ビスによって、上記ボ
スへと締結される基板と、
を含むボタンユニットにおいて、
上記ボスを省く一方、
上記基板は、上記ボタン部に溶着で取り付けられるとともに、
そのボタン部は、上記ハウジングに溶着で取り付けられることを特徴とするボタンユニ
ット。
【請求項２】
開口を有するハウジングと、
上記開口を通じて押圧されるボタン片およびこのボタン片の一端に連結したボタンフレ
ームから構成されるボタン部と、
上記ボタン片の他端との接触によって押動するスイッチを備えた基板と、
を含むボタンユニットにおいて、
上記基板は、上記ボタン部に取り付けられるとともに、
そのボタン部は、上記ハウジングに取り付けられることを特徴とするボタンユニット。
【請求項３】
上記基板と、上記ボタン部とが溶着によって取り付けられるとともに、
そのボタン部と、上記ハウジングとが溶着によって取り付けられていることを特徴とす
る請求項２に記載のボタンユニット。
【発明の詳細な説明】
【技術分野】
【０００１】
本発明は、例えば電子機器に関するものであり、特に、電子機器に備えられたボタンユ
ニットに関するものである。
【背景技術】
【０００２】
従来から、電子機器には種々のボタンが備えられるようになっている（例えば特許文献
１等）。
【０００３】
例えば、ポータブルコンピュータ（ＰＣ）やビデオレコーダーのような電子機器は、電
源ＯＮ／ＯＦＦボタン（押しボタン）や録画開始ボタン（押しボタン）が備えられるよう
になっている。
【０００４】
そして、このような押しボタンは、ハウジング（筐体）の外壁に配置されており、ユー
ザーの手の指先等で押されるようになっている。
【０００５】
すると、ユーザーによって押圧された押しボタンは、電子機器内部に備え付けられた回
路基板、特に、回路基板上に設けられたタクトスイッチと接触するようになっている。そ
して、このタクトスイッチの接触による押下にしたがい、電子機器では、所望の電子制御
（例えば、ビデオレコーダーによる録画開始等）が行われるようになっている。
【０００６】
通常、タクトスイッチを具備した回路基板は、電子機器のハウジングに締結されるよう
になっている。具体的には、回路基板は、ビスによって、ハウジングに設けられたボスに
取り付けられるようになっている。
【特許文献１】特開２００４−２２４９７号公報
【発明の開示】
【発明が解決しようとする課題】
【０００７】
このようにして、回路基板をハウジングにビス留めしてしまうと、下記のような問題が
生じる。
（１）金属部品数の増加。
【０００８】
このような、金属部品の増加は、コストの増加につながるだけでなく、リサイクル等の
場合に、分別の手間がかかってしまうという問題が生じ得る。
（２）ボスを設けることによるハウジングの美観性の劣化。
【０００９】
ハウジングにボスを設けると、ビス設置面の反対面（すなわちハウジングの表面）に窪
み（ヒケ）が生じる可能性がある。このようなヒケが生じてしまうと、ハウジングの美観
性が損なわれるだけでなく、このヒケを隠すための別部材（被覆用の部材）までもが必要
になってくる。
（３）タクトスイッチとボタンとの距離調整（寸法調整）が困難。
【００１０】
上記したように、回路基板は、ハウジングに固定されるようになっている。そして、ハ
ウジングに固定された回路基板のタクトスイッチに接触するボタンは、通常、ハウジング
に固定されるようになっている。
【００１１】
すると、タクトスイッチとボタンとの距離調整を調整する場合、回路基板とハウジング
との取り付け公差（第１公差）と、ボタンとハウジングとの取り付け公差（第２公差）と
を考慮する必要が生じてくる。つまり、タクトスイッチとボタンとの距離調整を調整にお
いて、２つの変動要因（第１公差・第２公差）が発生してしまうことになる。
【００１２】
本発明は、上記の問題点を解決するためになされたものであって、その目的は、ビスを
使うことなく、かつ、タクトスイッチとボタンとの距離調整を容易にしたボタンユニット
を提供することにある。
【課題を解決するための手段】
【００１３】
本発明は、開口を有するハウジングと、上記開口を通じて押圧されるボタン片およびこ
のボタン片の一端に連結したボタンフレームから構成されるボタン部と、上記ボタン片の
他端との接触によって押動するスイッチを備えた基板と、を含むボタンユニットであって
、上記基板は、上記ボタン部に取り付けられるとともに、そのボタン部は、上記ハウジン
グに取り付けられることを特徴としている。
【００１４】
そして、特に、上記基板と、上記ボタン部とが溶着によって取り付けられるとともに、
そのボタン部と、上記ハウジングとが溶着によって取り付けられていることが好ましい。
【００１５】
これによると、例えば、ビス等を使うことなく基板とボタン部、さらにボタン部と基板
とを接続させることができる。
【００１６】
また、基板に電子機器の制御に携わるプッシュ式のタクトスイッチ等が設けられている
場合、このタクトスイッチに接触するボタン片とタクトスイッチとの距離調整は、ボタン
部と基板との取り付け公差のみを考慮すればよい。そのため、タクトスイッチとボタンと
の距離調整を容易にしたボタンユニットといえる。
【００１７】
なお、本発明を別表現すると、開口を有するとともに、ボスも有したハウジングと、上
記開口を通じて押圧されるボタン片およびこのボタン片の一端に連結したボタンフレーム
から構成されるボタン部と、上記ボタン片の他端との接触によって押動するスイッチを備
え、ビスによって、上記ボスへと締結される基板と、を含むボタンユニットであって、上
記ボスを省く一方、上記基板は、上記ボタン部に溶着で取り付けられるとともに、そのボ
タン部は、上記ハウジングに溶着で取り付けられることを特徴としているともいえる。
【発明の効果】
【００１８】
本発明のボタンユニットでは、ビスを使用する必要はない。したがって、コスト削減を
図ることができる。また、ボタン部と基板とを直接取り付けしていることから、タクトス
イッチ等とボタン片との距離調整を容易に調整することができる。
【発明を実施するための最良の形態】
【００１９】
〔実施の形態１〕
本発明の実施の一形態について、図面に基づいて説明すれば、以下の通りである。
〔ボタンユニットについて〕
図１は、電子機器における部分斜視図を示している。具体的には、電子機器の外装等に
なるハウジング１１、このハウジング１１に取り付けられるボタン部２１、および回路基
板３１を図示している。なお、このハウジング１１・ボタン部２１・回路基板３１から構
成されるものをボタンユニット４１と表現する。
〈ハウジングについて〉
ハウジング１１は、電子機器の外装等を構成するものであり、図１では、電子機器のフ
ロントパネルに相当するハウジング１１となっている。このハウジング１１には、図１に
示すように、ボタン部２１（具体的には、ボタンフレーム２３）を取り付けるためのリブ
（Ｂリブ）１２が複数設けられるようになっている。
【００２０】
そして、ユーザー等の指で、ボタン部２１（具体的にはボタン２２；後述）を押さえつ
け可能にするために、ハウジング１１の外部から内部へとつながる開口（不図示）が設け
られるようになっている。
〈ボタン部について〉
ボタン部２１は、回路基板３１のタクトスイッチ３２に接触するボタン（ボタン片）２
２と、このボタン２２と接続されたボタンフレーム２３とから構成されるようになってい
る。
【００２１】
ボタンフレーム２３は、枠状体となっている。一方、ボタン２２は、一枚状のベース板
２２ａと、そのベース板２２ａ上からの突起した突部２２ｂとから構成されるようになっ
ている。そして、ボタン２２を構成するこのベース板２２ａの一端は、ボタンフレーム２
３における枠の内周２３ａ等に接続（連結）されるようになっている。そして、ベース板
２２ａにおける他端近傍には、上述の突部２２ｂが形成されるようになっている。
【００２２】
そのため、突部２２ｂの設けられているベース板２２ａの他端は、ベース板２２ａの一
端を支点として変動する自由端となっている。
【００２３】
一方、ボタンフレーム２３には、枠状体の周辺部（例えば外周２３ｂの辺部）に、ハウ
ジング１１のＢリブ１２の挿入される開孔（取付開孔）２４を有した取付部２５が備えら
れるようになっている。
【００２４】
また、このボタンフレーム２３には、枠状体の開口を覆うようにして、回路基板３１が
取り付けられるようになっている。そのため、ボタンフレーム２３の開口面（開放面）に
対して突起するように、リブ（Ｐリブ）２６が設けられ、このＰリブ２６を介して、回路
基板３１は取り付けられるようになっている。
【００２５】
なお、このＰリブ２６は、例えば枠状体の内周２３ａと外周２３ｂとの間に位置する枠
縁２３ｃから突起するようにして設けられるようになっている。
〈回路基板について〉
回路基板３１は、一枚状の基板であって、タクトスイッチ３２を備えるようになってい
る。そして、このタクトスイッチ３２が押圧（押されて変動；押動）されることによって
、電子機器の制御が行われるようになっている。
【００２６】
なお、この回路基板３１におけるタクトスイッチ３２は、上述してきたボタン２２（具
体的には突部２２ｂ）によって、押圧されるようになっている。したがって、ユーザーの
指先等で押されることで変動するボタン２２と、接触可能な範囲に、回路基板３１（具体
的にはタクトスイッチ３２）が位置するようになっている。
【００２７】
また、回路基板３１は、ボタン部２１（ボタンフレーム２３）に取り付けられるように
なっている。具体的には、回路基板３１上にＰリブ２６に対応するような開孔（基板開孔
）３３が設けられ、この開孔３３内にＰリブ２６が挿入されるようになっている。
〔本発明の種々の特徴について〕
以上のように、本発明のボタンユニット４１は、開口（不図示）を有するハウジング１
１と、この開口を通じて押圧されるボタン２２およびこのボタン２２の一端に連結したボ
タンフレーム２３から構成されるボタン部２１と、ボタン２２の他端との接触によって押
動するタクトスイッチ３２を備えた回路基板３１と、を含むようになっている。
【００２８】
そして、回路基板３１は、ボタン部２１に取り付けられるとともに、そのボタン部２１
は、ハウジング１１に取り付けられるようになっている。
【００２９】
具体的には、回路基板３１に設けられた開孔３３に、ボタン部２１（具体的にはボタン
フレーム２３）から突起したＰリブ２６を差し込み、このＰリブ２６を溶融させることで
、回路基板３１とボタン部２１とを接続（溶着）させるようにしている。
【００３０】
また、回路基板３１と接続されたボタン部２１は、ハウジング１１に設けられたＢリブ
１２を介して接続されるようになっている。具体的には、ボタン部２１に設けられた取付
部２５の開孔２４に、ハウジング１１から突起したＢリブ１２を差し込み、このＢリブ１
２を溶融させることで、ハウジング１１とボタン部２１とを接続（溶着）させるようにし
ている。
【００３１】
このような本発明のボタンユニット４１であれば、例えばビス等による締結によって、
ボタン部２１がハウジング１１に取り付けられてはいない。そのため、金属部品の削減を
図ることができる。したがって、電子機器等におけるコスト削減にもつながることになる
。
【００３２】
また、ビス等による締結が行われないため、このビス等の差し込み口となるボス等を設
ける必要がなくなる。すると、従来、ボス等を設けることによって生じていた問題が解消
される。
【００３３】
例えば、ハウジング１１にボスを設けると、ボス設置面の反対面（すなわちハウジング
１１の表面）に窪み（ヒケ）が生じていた。しかし、本発明では、ボス等を設ける必要は
なく、ボス等よりも小型のリブ（Ｂリブ）１２のみで、回路基板３１・ボタン部２１をハ
ウジング１１に取り付けることができる。
【００３４】
したがって、ヒケ等に起因するハウジング１１の美観性の劣化を抑制させることができ
る。また、ヒケを隠すための別部材（被覆部材）等が必要なくなる。したがって、本発明
のボタンユニットは、コストを抑制させた上、美観性が向上した電子機器を提供すること
ができる。
【００３５】
また、本発明のボタンユニット４１では、回路基板３１とボタン２２を具備したボタン
フレーム２３（すなわち、ボタン部２１）とを、直接接続（固定）させるようになってい
る。すると、タクトスイッチ３２とボタン２２との距離調整を調整する場合、回路基板３
１とボタンフレーム２３との取り付け公差のみを考慮すればよい。
【００３６】
つまり、タクトスイッチ３２とボタン２２との距離調整において、１つの変動要因のみ
を考慮しておけばよいことになる。したがって、本発明は、タクトスイッチ３２とボタン
２２との距離調整の容易なボタンユニットになっている。
［その他の実施の形態］
なお、本発明は上記の実施の形態に限定されず、本発明の趣旨を逸脱しない範囲で、種
々の変更が可能である。
【００３７】
例えば、上述では、ボタンフレーム２３の取付部２５（具体的には開孔２４）とハウジ
ング１１のＢリブ１２との溶着によって、両者（ボタンフレーム２３・ハウジング１１）
が固定されるようになっているが、これに限定されるものではない。例えば取付部２５を
省いたボタンフレーム２３とハウジング１１とを直接接着させるようにしてもよい。
【００３８】
つまり、ボス・ビス等を設けることなく、両者を固定できるようであればよい。同様に
、ボタンフレーム２３と回路基板３１との固定においても、Ｂリブ１２と回路基板３１の
開孔３３とを利用した固定に限定されるものではない。
【００３９】
また、ボタンフレーム２３の形状も枠状体に限定されるものではない。要は、回路基板
３１とボタン２２（具体的にはボタンフレーム２３）とが直接固定できるような形状であ
ればよい。このような直接固定関係が維持できれば、タクトスイッチ３２とボタン２２と
の距離調整において、変動要因（考慮すべき取り付け公差）は１つになるためである。
【産業上の利用可能性】
【００４０】
本発明は、種々の電子機器において、有用である。
【図面の簡単な説明】
【００４１】
【図１】本発明のボタンユニットを含んだ電子機器の斜視図である。
【符号の説明】
【００４２】
１１    ハウジング
１２    Ｂリブ
２１    ボタン部
２２    ボタン（ボタン片）
２２ａ  ベース板（ボタン片）
２２ｂ  突部（ボタン片）
２３    ボタンフレーム
２４    開孔（取付部）
２５    取付部（ボタン部）
２６    Ｐリブ（ボタン部）
３１    回路基板（基板）
３２    タクトスイッチ
３３    開孔
４１    ボタンユニット
【図１】
2006302619.tif 000003